(57)【要約】【課題】従来、化学物質に汚染された地下水が地盤内に滞留する場合には、汚染水滞留層周辺に土留め壁を築造して内部に井戸を堀って地下水を汲み上げ、浄化後に復水することによって行われてきたが、汚染地下水汲み上げのためには大掛かりな開削工事が必要であり、汚染地下水が地中深く存在する場合や、障害物等により土留め壁の築造が困難な場所では対応することが出来なかった。【解決手段】側壁に設けた吐出ノズル３から所定間隔を置いた部位に吸入孔５を設け、吸入孔を吸引機構を備えた排出経路に連通させた吸引ロッドを、対象地盤の汚染地下水滞留層に挿入して吸入孔から汚染地下水を吸引し、ロッド内の排出経路を通じて汚染物質の分離、気化を促進する回収槽に排出回収するように構成した。【選択図】図１
2004024924.tif 000002
【特許請求の範囲】
【請求項１】
側壁に設けた吐出ノズルから所定間隔を置いた部位に吸入孔を設け、吸入孔を吸引機構を備えた排出経路に連通させた吸引ロッドを、対象地盤の汚染地下水滞留層に挿入して吐出ノズルから清水を吐出して汚染地下水を希釈化して吸入孔から吸引し、ロッド内の排出経路を通じて汚染物質の分離、気化を促進する回収槽に排出回収することを特徴とする汚染地下水の回収工法
【請求項２】
吐出ノズルから吐出する清水を、汚染物質を吸着する炭酸水とするようにした請求項１記載の汚染地下水の回収工法
【請求項３】
排出経路の吸引機構を、排出経路の底部に設けたジェット吐出孔から吸引水排出方向にジェット流を噴射すると共に、その外側に排出経路内を旋回する旋回流を噴射する構成とし、ジェット流にエアーを添加するようにした請求項１又は請求項２記載の汚染地下水の回収工法
【請求項４】
ロッド内に吸引排出方向にジェット流を噴射するジェット噴射孔を設けた排出経路と対象地盤の汚染地下水滞留層からその排出経路に汚染地下水を吸入する吸入孔を備えた吸引ロッドと、この吸引ロッドに推進、回動等の作動を与える駆動機構とから成ることを特徴とする汚染地下水回収装置
【請求項５】
排出経路の適宜中間位置内壁に、ジェット噴射孔もしくは旋回流噴射ノズルによる中継ノズルを設けた請求項４記載の汚染地下水回収装置
【発明の詳細な説明】
【０００１】
【産業上の利用分野】
本発明は工場廃棄物の杜撰な管理、排水設備の破損等によって地中に浸透したトリファロメロン等の揮発性有機化合物で汚染され、地中に滞留する汚染地下水の浄化回復を行うための汚染地下水回収工法とその装置に関するものである。
【０００２】
【発明が解決しようとする課題】
従来、化学物質に汚染された地下水が地盤内に滞留する場合、汚染箇所周辺に遮水壁を築造して内部に井戸を堀って地下水を汲み上げ、浄化後に復水することによって行われてきた。
【０００３】
しかしながら、この方法によると汚染された地下水と健全な地下水が区別なく汲み上げられるため、地下水の洗浄に長期間が必要となり必要以上に多量な地下水の処理を行わなければならなかった。
【０００４】
【課題を解決するための手段】
本発明は上記した課題に対応しようとするものであり、側壁に設けた吐出ノズルから所定間隔を置いた部位に吸入孔を設け、吸入孔を吸引機構を備えた排出経路に連通させた吸引ロッドを対象地盤の汚染地下水滞留層に挿入し、吐出ノズルから清水を吐出して汚染地下水を希釈化して吸入孔から吸引し、ロッド内の排出経路を通じて回収槽に排出回収するようにしたものである。
【０００５】
また、吐出ノズルから吐出する清水の代わりに、炭酸水（Ｈ２ＣＯ３　）を噴射吐出し、炭酸水によって汚染物質を吸着分離するようにし、回収後の浄化処理を効率化するようにした。
【０００６】
また、排出経路の吸引機構を、排出経路の底部に設けたジェット噴射孔から吸引水排出方向にジェット流を噴射すると共に、その外側に排出経路内を旋回する旋回流を噴射する構成とし、ジェット流にエアーを添加するようにし、吸引回収中の汚染地下水にエアーを混入させ、地下水に溶け込んだ汚染物質の気化作用を助長し、併せて吸引ロッド自体に吸引力と搬送力が備えられるようにした。
【０００７】
また、排出方向へのジェット流による推進のみでなく、旋回流噴射を加えて排出経路内壁面を均沾する強力な旋回推進流を用い、これを排出経路の中間位置にも出力地点を配置出来るようにして全経路無理のない推進力を確保した。
【０００８】
なお、破砕吸引除去する汚染土壌の形態によっては、排出経路の底部中央に設定されるジェット噴射孔には、気体ジェットのみでなく清水等の液体ジェットを使用することにより、高い質量による強力な推進エネルギーを発生できる。
【０００９】
ジェット噴射による排出方向への直線的エネルギーは、旋回流噴射ノズルからの旋回流と合流して旋回流の核を構成する。ジェット噴射を所定長さインナーチューブによって囲障するとジェット流はインナーチューブによって集束された後、拡散するので更に効果を高めることができる。
【００１０】
旋回流は吸引ポンプだけによっては確保できない吸引搬送力を増強して質量のある汚染地下水を押し出す支持力として働き、ジェット噴射がこれと合体して排出方向への推進力を増幅する。ジェット流、旋回流を構成する流体は、それぞれ液体気体等の気相や質量を選択調整することにより、状況に応じた排出効果を構成することができる。
【００１１】
【実施例】
以下図面に従って本発明の実施例を説明する。１は吸引ロッドで操作機構（目的に応じて水平方向への前進、後退など形態が異なる）２によって支持され、下降、上昇、回転若しくは３６０度往復回動等の作動を与えられる。
【００１２】
吸引ロッド１の先端部側壁には核ノズル３１、囲周ノズル３２によって構成される重合吐出ノズル３が設けられ、吸引ロツド内部には吐出ノズル３や吸入孔５の各開口部に開口する多重経路を有している。
【００１３】
重合吐出ノズル３は、スイベル４を介して各供給経路により供給される清水、エアー、炭酸水等を、各別の経路から開口する核ノズル３１或いは囲周ノズル３２を通じて地中に吐出する。
【００１４】
５は吸入孔で、重合吐出ノズル３の上部（必要に応じて下部でも勿論良い）に所定の間隔を置いて開口し、排出経路６に形成された吸引機構と吸引ポンプの作動によって汚染地下水を吸入し、地上の汚染土壌処理機構１０に揚送する。５１は核ノズル３１に清水を供給する清水供給管、５２は囲周ノズル３２、傾斜噴射ノズル８１等に圧縮空気を供給するエア供給管、５３はジェット供給管である。
【００１５】
吸入孔５が開口する排出経路６の底部には、中央にスライム排出方向にジェット流を噴射するジェット噴射孔７、その外側に排出経路内を旋回する旋回流を噴射する旋回流噴射ノズル８が複数の傾斜噴射ノズル８１によって構成されている。
【００１６】
更に、排出経路６の内壁には所定間隔毎にジェット噴射孔もしくは旋回流噴射ノズルによる中継ノズル９が必要に応じて配置される。
【００１７】
ジェット噴射孔７は周囲をインナーチューブ７１によって所定長さ囲障され、ジェット流が所定長さ収束されるようになっている。なお、インナーチューブ７１は設置を省略しても良い。
【００１８】
以上のような装置システムにより、注入ロッド１は回転等の適宣手段によって対象地盤の汚染地下水滞留層に推進挿入される。
【００１９】
汚染地下水滞留層において、重合吐出ノズル３の核ノズル３１から清水若しくは炭酸水を、囲周ノズル３２からエアーを吐出しながら吸引ロッド１を回動させ、汚染水と炭酸水を攪拌混合すると共にエアー添加を行いながら吸引ポンプを作動させてポンプの吸引力と排出経路６の吸引負圧によってエアー添加した滞留汚染水を吸入孔５から吸入する。
【００２０】
吸入された汚染水は、排出経路６の底部に開口するジェット噴射孔７、その外側に配置された旋回流噴射ノズル８からの噴射によって構成されるスパイラル搬送流に乗り中継ノズル９により加速されて、排出経路６を通じて汚染地下水回収槽１０に送入される。
【００２１】
以上のように、炭酸水によって攪拌混合され、エアー添加された汚染地下水は、炭酸水の分離作用によって揮発性有機化合物が分離され、揮発性物質がエアー添加によって気化促進されて無害化処理されながら回収槽１０に送入され、回収後、更に、無害化処理施設において処理されて行くものである。
【００２２】
汚染地下水の回収された対象地盤には、吐出ノズル３を通じて清水と浄化材が注入され、環境基準の回復が行われるものである。
【００２３】
本発明は以上のように構成したので、従来、大掛かりな開削工事や土留め壁の構築等が必要であった汚染地下水の除去回収を吸引ロッドの挿入によって簡易、迅速に行なうことを可能とした。
【００２４】
【図面の簡単な説明】
【図１】本発明の実施例を示すもので、汚染地下水滞留層への吸引ロッドの挿入と汚染地下水吸入施工の状況を示す全体説明図
【図２】注入ロッド先端の汚染地下水吸入孔及び吐出ノズル部分の拡大縦断面図
【図３】排出経路を横断面として示したジェット噴射孔及び旋回流噴射ノズルの平面図
【符号の説明】
１　　　　　吸引ロッド
２　　　　　操作機構
３　　　　　重合吐出ノズル
３１　　　　　核ノズル
３２　　　　　囲周ノズル
４　　　　　スイベル
５　　　　　吸入孔
５１　　　　　清水供給管
５２　　　　　エア供給管
５３　　　　　ジェット供給管
６　　　　　排出経路
６１　　　　　吸引ポンプ
７　　　　　ジェット噴射孔
７１　　　　　インナーチューブ
８　　　　　旋回流噴射ノズル
８１　　　　　傾斜噴射ノズル
９　　　　　中継ノズル
１０　　　　　汚染地下水回収槽
Ａ　　　　　汚染地下水滞留層
【図１】
2004024924.tif 000003
【図２】
2004024924.tif 000004
【図３】
2004024924.tif 000005